(57)【要約】【課題】アルミニウム製又はアルミニウム合金製の基体を有する感光体ドラムと結晶性樹脂製の端部部材との接着剤による接合において、端部部材の嵌合部に必ずしも溝や粗面を必要とすることなく接着性を向上させることができる端部部材の製造方法を提供する。【解決手段】感光体ドラムの端部に装着され、結晶性樹脂を含む材料により成形される端部部材を製造する方法Ｓ１０であって、アルカリ性電解水を用いて端部部材素材の表面に付着した付着物を除去する、付着物除去工程Ｓ１２と、付着物除去工程により付着したアルカリ性電解水を水で洗う、水洗い工程Ｓ１３と、少なくとも感光体ドラムに挿入されるべき部位である嵌合部の外表面を酸化する酸化処理工程Ｓ１４と、を含み、付着物除去工程におけるアルカリ性電解水は水酸化ナトリウム及び水素を含み、炭酸ナトリウムを含まない。【選択図】図４
2014186232.tif 000002
【特許請求の範囲】
【請求項１】
感光体ドラムの端部に装着され、結晶性樹脂を含む材料により成形される端部部材を製造する方法であって、
アルカリ性電解水を用いて端部部材素材の表面に付着した付着物を除去する、付着物除去工程と、
前記付着物除去工程により付着した前記アルカリ性電解水を水で洗う、水洗い工程と、
少なくとも前記感光体ドラムに挿入されるべき部位である嵌合部の外表面を酸化する酸化処理工程と、を含み、
前記付着物除去工程における前記アルカリ性電解水は水酸化ナトリウム及び水素を含み、炭酸ナトリウムを含まない、端部部材の製造方法。
【請求項２】
前記酸化処理工程の後に、水洗い工程、及び該水洗い工程の後に前記端部部材を乾燥する、乾燥工程を含む、請求項１に記載の端部部材の製造方法。
【請求項３】
前記付着物除去工程の前に、樹脂で端部部材素材を成形する工程を有する、請求項１又は２に記載の端部部材の製造方法。
【請求項４】
前記酸化処理工程における酸化がオゾン暴露又はオゾン水への浸漬により行われる、請求項１乃至３のいずれか１項に記載の端部部材の製造方法。
【請求項５】
請求項１乃至４のいずれか１項に記載の端部部材の製造方法により製造された前記端部部材の前記嵌合部を、アルミニウム又はアルミニウム合金による円筒形状の基体及び該基体の外周面に積層された感光層を備える感光体ドラムの内側に挿入し、前記嵌合部の外表面と前記感光体ドラムの円筒形状の内表面とを接着剤により接着する、感光体ドラムユニットの製造方法。
【請求項６】
前記接着剤はシアノアクリレート系接着剤である、請求項５に記載の感光体ドラムユニットの製造方法。
【発明の詳細な説明】
【技術分野】
【０００１】
本発明は、レーザープリンタ、複写機等の画像形成装置に用いられる感光体ドラムユニットの製造方法、該感光体ドラムユニットに備えられる端部部材の製造方法に関する。
【背景技術】
【０００２】
レーザープリンタ、複写機等の画像形成装置には感光体ドラムが備えられている。感光体ドラムは、紙等の記録媒体に文字や図形等、表されるべき内容を転写するための部材である。このような感光体ドラムは、アルミニウム等により形成された導電性の円筒形状である基体の外周面に感光層が被覆されて構成されている。被覆される感光層の種類は当該感光体ドラムが適用される装置により適宜選択される。
【０００３】
円筒形状である感光体ドラムの両端には、感光体ドラムを画像形成装置内に保持するとともに、感光体ドラムを円筒軸を中心に回転させるための端部部材が装着される。従って感光体ドラムは、その両端に端部部材が装着された状態で感光体ドラムユニットとして画像形成装置内に配置されている。
【０００４】
感光体ドラムへの端部部材の装着は、円筒形状である感光体ドラムの内側に端部部材の一部（嵌合部）が差し込まれることにより行われ、嵌合部の外表面と感光体ドラムの内表面とが接着剤により固定される。
【０００５】
ここで、アルミニウム等により形成される基体と、樹脂により形成される端部部材と、を接着剤により固定することについて、剥離や負荷トルクに対する耐久力（トルク強度）等のような接着性に問題があった。これは、端部部材にはギア（歯車）を併せ持ったものもあり、形状が複雑な場合には成形性のよい樹脂を用いることが好ましいが、このような樹脂は接着剤との相性により接着性に問題があることが１つの要因である。
【０００６】
かかる観点から感光体ドラムと端部部材との接着性を高める技術が特許文献１に開示されている。この技術によれば、樹脂製の端部部材を製造する際に嵌合部に予め溝を設けておき、アンカー効果により接着性を向上させることができる。
【０００７】
また、感光体ドラムに端部部材を挿入した後に機械的に「かしめて」固定する技術も知られている。
【０００８】
さらに特許文献２、３には嵌合部の表面をショットブラスト加工により粗面化して接着強度を高める技術が開示されている。
【０００９】
一方、コスト削減、省エネルギー、及び省資源化の観点から、端部部材をリユースすることも求められている。
【先行技術文献】
【特許文献】
【００１０】
【特許文献１】特開２００１−８３８３８号公報
【特許文献２】米国特許第７７４７１８９号明細書
【特許文献３】特開２００３−２５５７５９号公報
【発明の概要】
【発明が解決しようとする課題】
【００１１】
しかしながら、近年における高速印刷の要求により、感光体ドラムユニットが晒される環境はさらに過酷になっており、特許文献１に記載のような技術によっても接着性が十分とは言えなかった。また、溝を形成する必要性や、溝内に配置される分の接着剤の増加等、製造及びコストの観点からも改善の要望があった。さらにリユースの端部部材の中には特許文献１に記載のような溝を有していないものも多く、そのまま接着すると十分な接着強度を得ることができない。
【００１２】
また、かしめによる端部部材の固定では生産性が低下し、製品についても感光体ドラムの振れが大きくなったり、感光体ドラム端部の真円度が低下したりする虞があった。
【００１３】
特許文献２、３のようなブラスト加工による方法では、加工されるべきでない部位にメディアが衝突したり、粉塵等により後工程を汚染したりする虞もあった。また、ブラストのメディアを衝突させるため、及びその周辺のために大掛かりな装置が必要になる。すなわち、ブラストをする装置及び工程に加え、工程に沿って部材を並べたり、部材をつかんだりする工程があり、また部材に食い込んだメディアを除去するための洗浄工程、及び洗浄後の乾燥工程も必要になる。従って、設備が大掛かりとなり、生産性にも問題があった。
【００１４】
そこで本発明は、上記問題点に鑑み、アルミニウム製又はアルミニウム合金製の基体を有する感光体ドラムと結晶性樹脂製の端部部材との接着剤による接合において、端部部材の嵌合部に必ずしも溝や粗面を必要とすることなく接着性を向上させることができる端部部材の製造方法を提供することを課題とする。また当該製造方法により製造された端部部材を含む感光体ドラムユニットの製造方法を提供する。
【課題を解決するための手段】
【００１５】
本発明の上記課題は、下記構成により解決される。なおここではわかりやすさのため図面の参照符号を括弧書きで付記するが、本発明はこれに限定されるものではない。
【００１６】
請求項１に記載の発明は、感光体ドラム（１１）の端部に装着され、結晶性樹脂を含む材料により成形される端部部材（１２、１７）を製造する方法（Ｓ１０）であって、アルカリ性電解水を用いて端部部材素材の表面に付着した付着物を除去する、付着物除去工程（Ｓ１２）と、付着物除去工程により付着したアルカリ性電解水を水で洗う、水洗い工程（Ｓ１３）と、少なくとも感光体ドラムに挿入されるべき部位である嵌合部の外表面を酸化する酸化処理工程（Ｓ１４）と、を含み、付着物除去工程におけるアルカリ性電解水は水酸化ナトリウム及び水素を含み、炭酸ナトリウムを含まない、端部部材の製造方法である。
【００１７】
請求項２に記載の発明は、請求項１に記載の端部部材の製造方法（Ｓ１０）において、酸化処理工程（Ｓ１４）の後に、水洗い工程（Ｓ１５）、及び該水洗い工程の後に前記端部部材を乾燥する、乾燥工程（Ｓ１６）を含む。
【００１８】
請求項３に記載の発明は、請求項１又は２に記載の端部部材の製造方法において、付着物除去工程（Ｓ１２）の前に、樹脂で端部部材素材を成形する工程（Ｓ１１）を有する。
【００１９】
請求項４に記載の発明は、請求項１乃至３のいずれか１項に記載の端部部材の製造方法（Ｓ１０）において、酸化処理工程（Ｓ１４）における酸化がオゾン暴露又はオゾン水への浸漬により行われる。
【００２０】
請求項５に記載の発明は、請求項１乃至４のいずれか１項に記載の端部部材の製造方法（Ｓ１０）により製造された端部部材（１２、１７）の嵌合部（１６、１７ｂ）を、アルミニウム又はアルミニウム合金による円筒形状の基体及び該基体の外周面に積層された感光層を備える感光体ドラム（１１）の内側に挿入し、嵌合部の外表面と感光体ドラムの円筒形状の内表面とを接着剤により接着する、感光体ドラムユニットの製造方法である。
【００２１】
請求項６に記載の発明は、請求項５に記載の感光体ドラムユニットの製造方法において、接着剤はシアノアクリレート系接着剤である。
【発明の効果】
【００２２】
本発明によれば、アルミニウム又はアルミニウム合金製の基体を有する感光体ドラムと、結晶性樹脂製の端部部材と、の接着剤による接合に対して、嵌合部の酸素濃度が高められて活性化されており、端部部材の嵌合部に必ずしも溝や粗面を必要とすることなく接着性を向上させることができる。
また、酸化処理に先だって高い清浄性を有するように付着物除去が行われているのでムラのない酸化処理を行うことができる。
【図面の簡単な説明】
【００２３】
【図１】画像形成装置の構造を概念的に説明する図である。
【図２】図２（ａ）は感光体ドラムユニットの斜視図である。図２（ｂ）は一方の端部部材を感光体ドラムから離隔して表した感光体ドラムユニットの分解斜視図である。
【図３】図２（ｂ）にＩＩＩで示した方向から端部部材を見た正面図である。
【図４】端部部材の製造方法の流れを説明する図である。
【発明を実施するための形態】
【００２４】
本発明の上記した作用及び利得は、次に説明する発明を実施するための形態から明らかにされる。以下本発明を図面に示す実施形態に基づき説明する。ただし本発明はこれら実施形態に限定されるものではない。
【００２５】
初めに感光体ドラムユニット、及び感光体ドラムユニットに具備される端部部材の一例について説明する。図１は感光体ドラムユニット１０を含む画像形成装置の内部構造を概念的に表した図である。画像形成装置としては、例えばレーザープリンタ、複写機、ファクシミリ等を挙げることができる。
【００２６】
画像形成装置は、感光体ドラムユニット１０（図２参照）、帯電ローラ１、現像ローラ２、規制部材３、転写手段４、及びクリーニングブレード５を有している。紙等の媒体が図１にＩで示した線に沿って移動することにより、当該媒体に画像が転写される。以下に各構成について説明する。
【００２７】
感光体ドラムユニット１０には、その外周面に、紙等の記録媒体に転写すべき文字や図形等が形成される。図２には、感光体ドラムユニット１０の斜視図を示した。図２（ａ）は感光体ドラム１１に端部部材１２、１７が組み合わされた図、図２（ｂ）は一方の端部部材１２を感光体ドラム１１から離隔して表した分解斜視図である。また、図３は、図２（ｂ）にＩＩＩで示した方向から端部部材１２をみた正面図である。
【００２８】
図２からわかるように感光体ドラムユニット１０は、感光体ドラム１１、端部部材１２、及び端部部材１７を備えている。
【００２９】
感光体ドラム１１は、円筒形状である基体の外周面に感光層を被覆した部材である。基体はアルミニウム、又はアルミニウム合金による導電性材料が円筒形状に形成されたものである。基体の外周面に形成される感光層は特に限定されることはなく、その目的に応じて公知のものを適用することができる。ここで用いられるアルミニウム合金の種類は特に限定されるものではないが、感光体ドラムの導電性支持体として用いられることが多いＪＩＳ規格で定められる６０００系、５０００系、３０００系のアルミニウム合金であることが好ましい。
【００３０】
基体は、切削加工、押し出し加工、引き抜き加工等により円筒形状を形成することにより製造することができる。そして基体の外周面に感光層を塗布する等して積層して感光体ドラム１１を作製することが可能である。
【００３１】
端部部材１２は、端部部材の１つの形態であり、感光体ドラム１１の端部のうち一方の端部に取り付けられるギア（歯車）付きの部材である。端部部材１２は、画像形成装置の回転駆動軸から回転駆動力を受けて感光体ドラムユニット１０自体を回転させるとともに、備えられるギアにより感光体ドラムユニット１０に隣接する他のローラ（帯電ローラ１等）にもこの回転力を伝達する機能を有する。端部部材１２は、筒状体１３、該筒状体１３の外周面に備えられる歯車部１４、感光体ドラム１１の端面に接触して係止する接触壁１５、及び感光体ドラム１１の内側に挿入する嵌合部１６を具備している。
【００３２】
筒状体１３は、一方の端部に底を具備し、他方の端部に接触壁１５を有する有底の円筒形状の部材である。筒状体１３のうち当該底からは、外側に突出するように軸１３ａが設けられている。軸１３ａは、画像形成装置の回転駆動軸に連結し、該回転駆動軸からの回転力を感光体ドラムユニット１０に伝達する機能を有している。従って、軸１３ａは、画像形成装置の回転駆動軸から回転力が効率よく端部部材１２に伝わるような形状を有している。このような機能を有する形状であれば特に限定されることはないが、例えば感光体ドラムユニット１０の回転軸方向から感光体ドラムユニット１０を見たときに矩形となる形状（図２参照）を挙げることができる。
【００３３】
歯車部１４は、筒状体１３の外周面に備えられる歯車であり、現像ローラ等に回転力を伝達する。図示した本形態では歯車部１４は平歯車である。ただし歯車の種類は目的を達することができるものであれば特に限定されることはなく、例えばはす歯歯車等であってもよい。ただし、本形態では歯車部が設けられた例を示したが、端部部材には必ずしも歯車部が備えられている必要はない。
【００３４】
接触壁１５は、筒状体１３の端部のうち軸１３ａが備えられた側とは反対側の端部に設けられ、筒状体１３の外周面に立設するリング状の部材である。接触壁１５は、図２（ａ）からわかるように、端部部材１２を感光体ドラム１１に装着した姿勢で、感光体ドラム１１の端面に接触するように配置される。これにより端部部材１２の感光体ドラム１１への挿入深さが規制される。
【００３５】
嵌合部１６は、接触壁１５のうち筒状体１３、歯車部１４が設けられる側とは反対側に突出する円筒形状の部位である。嵌合部１６は感光体ドラム１１の内側に挿入され、後述する接着剤と相俟って端部部材１２を感光体ドラム１１の端部に固定する機能を有する。従って、嵌合部１６の外径は、感光体ドラム１１の円筒形状の内側に挿入可能な範囲で、感光体ドラム１１の内径と概ね同じである。
【００３６】
端部部材１２は、結晶性樹脂により形成されていることが好ましい。結晶性樹脂であれば、金型を用いて射出成型するに際し、流れが良好であることから成型加工性がよく、ガラス転移点にまで冷却させなくても結晶化して固化することにより離型することができる。従って、生産性を大きく向上させることが可能である。また、結晶性樹脂は、耐熱性、耐溶剤性、耐油性、耐グリース性に優れ、耐摩擦摩耗性や摺動性も良好であり、さらには剛性及び硬さの観点からも端部部材に適用する材料として好ましい。
結晶性樹脂としては例えばポリエチレン、ポリプロピレン、ポリアミド、ポリアセタール、ポリエチレンテレフタレート、ポリブチレンテレフタレート、メチルペンテン、ポリフェニレンサルファイド、ポリエーテルエテルケトン、ポリテトラフロロテチレン、ナイロン等を挙げることができる。
この中でも成型加工性の観点からポリアセタール系樹脂を用いることが好ましい。
【００３７】
ここに用いられるポリアセタール系樹脂としては、オキシメチレンユニット（−ＣＨ２Ｏ−）を主たる構成単位として含むポリアセタール系樹脂が好ましい。
このようなポリアセタール系樹脂は、オキシメチレン基以外のユニットを含むポリアセタールコポリマーであってもよく、オキシメチレン基以外のユニットとしては、炭素数２〜６程度、好ましくは炭素数２〜４程度のオキシアルキレン単位（例えば、オキシエチレン基（−ＣＨ２ＣＨ２Ｏ−）、オキシプロピレン基、オキシテトラメチレン基など）を構成単位として含むポリアセタールコポリマーが好ましい。
上記ポリアセタールコポリマーは、二成分で構成されたコポリマー、三成分で構成されたターポリマー等の複数の成分で構成されていてもよい。ポリアセタールコポリマーは、一般にランダムコポリマーであるが、ブロックコポリマー、グラフトコポリマーなどであってもよい。
上記したポリアセタール系樹脂は、ホルムアルデヒドの環状オリゴマーであるトリオキサンやテトラオキサンとエチレンオキサイド、プロピレンオキサイド、１，３−ジオキソラン、１，４−ブタンジオールのホルマールなどの炭素数２〜６程度のオキシアルキレンユニットを有する環状エーテルとを共重合することにより製造できる。
【００３８】
上記適用される結晶性樹脂には、必要に応じて、酸化防止剤(フェノール系、リン系、イオウ系)、光安定剤、難燃剤、顔料、結晶核材などを添加することができる。また、複数の樹脂を相溶させたり、マスターバッチを添加して任意の色に着色してもよい。さらに、褶動性を向上させるためにフッ素樹脂やポリエチレン、シリコンゴムなどを添加することもできる。より具体的には次の通りである。
【００３９】
端部部材に用いられる材料には結晶性樹脂に加えて、公知の殆ど全ての熱可塑性樹脂を併用することができる。併用可能な熱可塑性樹脂としては、ポリスチレン（ＰＳ）、スチレン／アクリロニトリル共重合体樹脂（ＳＡＮ）等のスチレン系樹脂、ポリメチルメチクリレート（ＰＭＭＡ）等のアクリル系ビニル重合体、ポリエチレン（ＰＥ）、ポリプロピレン（ＰＰ）等のポリオレフィン樹脂、ポリ塩化ビニル樹脂（ＰＶＣ）、ポリフェニレンエーテル樹脂（ＰＰＥ）及びその変性品、芳香族ポリエステル樹脂（ＰＥＴ、ＰＢＴ）、ポリカーボネート樹脂（ＰＣ）、ポリカプロアミド（ナイロン６）、ポリヘキサメチレンアジパミド（ナイロン６６）等のポリアミド樹脂（ＰＡ）等が挙げられる。これらは１種又は２種以上併用することができる。また、グラフト共重合体等の相溶化剤を併用することもできる。
その他、コア−シェル型、若しくはエラストマー等のゴム質重合体を配合することもできる。その具体例としては、メチルメタクリレート／ブタジエン／スチレン共重合体樹脂（ＭＢＳ樹脂）、アクリロニトリル／ブタジエン／スチレン共重合体樹脂（ＡＢＳ樹脂）等のジエン系コアシェル型ゴム質重合体、アクリレート／スチレン／アクリロニトリル共重合体樹脂（ＡＳＡ樹脂）、アクリレート／メチルメタクリレート共重合体樹脂等のアクリル系コアシェル型ゴム質重合体、シリコーン／アクリレート／メチルメタクリレート共重合体樹脂、シリコーン／アクリレート／アクリロニトリル／スチレン共重合体樹脂等のシリコーン系コアシェル型ゴム質重合体、エチレン／プロピレン共重合体（ＥＰＲ）、エチレン／ブテン−１共重合体、エチレン／プロピレン／非共役ジエン共重合体（ＥＰＤＭ）、エチレン／酢酸ビニル共重合体（ＥＶＡ）、エチレン／アクリル酸エチル共重合体（ＥＥＡ）等のオレフィン系熱可塑性エラストマー（ＴＰＯ）、スチレン／ブタジエン／スチレンブロック共重合体（ＳＢＳ）、スチレン／エチレン／ブチレン／スチレンブロック共重合体（ＳＥＢＳ）、スチレン／エチレン／プロピレンブロック共重合体（ＳＥＰ）、スチレン／イソプレン／スチレン共重合体（ＳＩＳ）等のスチレン系熱可塑性エラストマー（ＴＰＥ）、及びこれらの無水マレイン酸やグリシジルメタクリレート等による変性品、熱可塑性ポリエステル（ＴＰＥｓ）、熱可塑性ポリウレタン（ＴＰＵ）、イソブテン／イソプレンゴム（ＩＩＲ）、ポリイソプレン（ＩＲ）、天然ゴム（ＮＲ）、ブタジエン／アクリロニトリル共重合体（ＮＢＲ）、ブタジエン／スチレン共重合体（ＳＢＲ）等が挙げられる。これらは１種又は２種以上併用することができる。
【００４０】
その他、端部部材の材料には結晶性樹脂本来の特性を損なわない範囲で、必要に応じて各種添加剤を配合することができる。その具体例としては、顔料や染料、ガラス繊維、金属繊維、金属フレーク、炭素繊維等の補強剤や充填剤、２,６−ジ−ブチル−４−メチルフェノール、４,４’−ブチリデン−ビス（３−メチル−６−ｔ−ブチルフェノール）等のフェノール系酸化防止剤、トリス（ミックスド、モノ及びジニルフェニル）ホスファイト、ジフェニル・イソデシルホスファイト等のホスファイト系酸化防止剤、ジラウリルチオジプロピオネート、ジミリスチルチオジプロピオネートジアステリアルチオジプロピオネート等の硫黄系酸化防止剤、２−ヒドロキシ−４−オクトキシベンゾフェノン、２−（２−ヒドロキシ−５−メチルフェニル）ベンゾトリアゾール等のベンゾトリアゾール系紫外線吸収剤、ビス（２,２,６,６）−テトラメチル−４−ピペリジニル）等の光安定剤、ヒドロキシルアルキルアミン、スルホン酸塩等の帯電防止剤、エチレンビスステアリルアミド、金属石鹸等の滑剤、及びテトラブロムフェノールＡ、デカブロモフェノールオキサイド、ＴＢＡエポキシオリゴマー、ＴＢＡポリカーボネートオリゴマー、三酸化アンチモン、ＴＰＰ、リン酸エステル等の難燃剤等が挙げられる。かかる各種添加剤を配合することで、より望ましい物性、特性に調節することができる。
【００４１】
端部部材１２の嵌合部１６には接着性向上ための溝や粗面が予め設けられていても、設けられていなくてもよい。当該溝や粗面がない場合には後述する製造方法により接着性向上が特に顕著であるが、溝や粗面が設けられていてもさらなる接着性向上の効果があるからである。
【００４２】
また、端部部材１２では少なくとも嵌合部１６の外表面が酸化処理された表面（酸化処理表面）とされている。これにより接着性に問題があるとされる結晶性樹脂であっても表面が活性化され、後述する接着剤による感光体ドラム１１との接着性を向上させることができる。すなわち、従来のように嵌合部に溝や粗面を形成することなく十分な接着性を有するものとなる。
【００４３】
端部部材１７は、感光体ドラム１１の端部のうち、端部部材１２が配置される側とは反対側の端部に装着される端部部材である。端部部材１７は、歯車部は備えられていないが端部部材の１つの形態である。従ってその材質は端部部材１２と同様のものを用いることができる。
端部部材１７は円盤状である軸受部１７ａと、該軸受部１７ａの面から感光体ドラム１１の内側に突出する嵌合部１７ｂ（図２（ａ）に透視して破線で示している。）と、を備えている。そして端部部材１７では、感光体ドラム１１の円筒内側に嵌合される嵌合部１７ｂと、感光体ドラム１１の一端面を覆うように配置される軸受部１７ａとが同軸に形成されている。ここで軸受部１７ａは、感光体ドラム１１の端面を覆う円板状であるとともに、軸を受ける不図示の部位を具備する。また、端部部材１７には、不図示の導電性材料からなるアース板が配置され、これにより感光体ドラム１１と画像形成装置本体とを電気的に接続させている。本形態では端部部材１７にアース板を配置する例を説明したが、これに限らずアース板が端部部材１２側に配置されてもよい。
【００４４】
また、本形態では端部部材１７についても端部部材１２と同様に、少なくとも嵌合部１７ｂの外表面が酸化処理された表面（酸化処理表面）とされている。これにより接着性に問題があるとされる結晶性樹脂であっても表面が活性化され、後述する接着剤による感光体ドラム１１との接着性を向上させることができる。すなわち、従来のように嵌合部に溝や粗面を形成することなく十分な接着性を有するものとなる。
【００４５】
感光体ドラム１１と端部部材１２、１７とは接着剤により固定されている。すなわち、感光体ドラム１１の内側に差し込まれる端部部材１２、１７の嵌合部１６、１７ｂの外周面と感光体ドラム１１の内周面との間に具備された接着剤により固定されている。
用いられる接着剤はシアノアクリレート系、ポリウレタン系、アクリル樹脂系が好ましい。その中でも特に、周囲の水分によって急速に硬化するため硬化速度の速いシアノアクリレート系接着剤が好ましい。
【００４６】
以上のような端部部材１２、１７及びこれをを含む感光体ドラムユニット１０は、例えば次のように製造することができる。図４に１つの例にかかる端部部材の製造方法Ｓ１０（以下、「製造方法Ｓ１０」と記載することがある。）の流れを示した。図４からわかるように、製造方法Ｓ１０は、端部部材素材の準備工程Ｓ１１、付着物除去工程Ｓ１２、水洗い工程Ｓ１３、酸化処理工程Ｓ１４、水洗い工程Ｓ１５、及び乾燥工程Ｓ１６を備えている。以下、各工程について説明する。
なお、ここでは少なくとも酸化処理工程Ｓ１４を経ることにより「端部部材」となるので、それより前の工程では処理の対象となるものを「端部部材素材」と記載する。
【００４７】
端部部材素材の準備工程Ｓ１１は、結晶性樹脂による端部部材の形状を有する素材（端部部材素材）を準備する。端部部材素材は新たに製造されたものであってもよいし、リユースによるものであってもよい。新たに製造するものについては、その製造方法は特に限定されることはなく、例えば射出成型等により作製することができる。
【００４８】
付着物除去工程Ｓ１２は、洗浄の対象である端部部材素材を、アルカリ性電解水を貯留した槽（プール）に浸漬するとともに、所定の外力を端部部材に与える工程である。これにより端部部材素材の表面に付着した離型剤、油脂成分、その他付着物等を剥離させることができる。
【００４９】
ここで洗浄液としてのアルカリ性電解水は、該アルカリ性電解水の生成の際に電解質に炭酸水素ナトリウム（重曹）を用いることで得られた、電解質成分を含まないアルカリ性電解水を使用する。すなわち、ここで用いられるアルカリ性電解水は水酸化ナトリウム及び水素を含み、炭酸ナトリウム（塩素イオン）を含有しない。
これにより、高い洗浄力により洗浄性が向上されるとともに、端部部材素材の表面に塩素イオンが残留することがなく、これが後の工程に影響を与えることを防止することができる。
このようなアルカリ性電解質を得る１つの手段としてオルガノ株式会社のアルカリ性電解水製造装置を挙げることができる。このときの処理条件としては、ｐＨ：１２．５、温度：５０℃程度、浸漬時間：３分乃至１０分が好ましい。
【００５０】
付着物除去工程Ｓ１２では、さらに洗浄効果を高めるため、付加的な手段を適用してもよい。これには例えば端部部材素材、及び／又は、アルカリ性電解水に振動を加えること、端部部材素材表面にブラシ、スポンジ、気泡等を接触させること、超音波を照射すること等がある。
これら付加的な手段は特に限定されることなく公知の手段を適用することができる。
【００５１】
水洗い工程Ｓ１３は、付着物除去工程Ｓ１２にて端部部材素材から離型剤、油脂等を洗浄して除去した後に、端部部材素材に付着したアルカリ性電解水を水で濯いで除去する工程である。
水洗い工程Ｓ１３は上記の目的を達成することができればその態様は限定されることはないが、例えば３つの槽からなり、槽を移動しながら洗浄する態様を挙げることができる。これによれば付着物除去工程Ｓ１２から持ち出された液の影響を弱めながら最終的に適切な水洗いをすることが可能である。
【００５２】
酸化処理工程Ｓ１４は、水洗い工程Ｓ１３により濯がれた端部部材素材のうち、少なくとも嵌合部となる部位の外表面の酸素濃度を高める処理をおこなう工程である。酸化処理工程Ｓ１４における酸化処理の方法は特に限定されることなく、あらゆる方法を取り得るが、例えば次のように、オゾンの発生工程とオゾン処理工程とに分けて考えることができる。
【００５３】
オゾンの発生工程は端部部材素材に接触させるべきオゾンを発生する工程である。これには例えば無声放電、紫外線照射、及び電気分解によるオゾン発生を挙げることができる。
無声放電によるオゾンの発生は空気中おいてコロナ放電を生じさせることにより、コロナ放電のエネルギーで空気中の酸素からオゾンを発生する方法である。
紫外線照射によるオゾンの発生は空気に紫外線を照射することにより、紫外線のエネルギーで空気中の酸素からオゾンを発生する方法である。
電気分解によるオゾンの発生は電解法ともよばれ、例えば陰極に黒鉛電極、陽極に白金電極を用いて希硫酸を電気分解することによりオゾンを発生させる。このときには陽極からオゾンが生成される。
電気分解によるオゾンの発生によれば、オゾンの発生とともに窒素酸化物（例えば無水硝酸（Ｎ２Ｏ５））が発生することがなく、オゾン処理工程で端部部材にオゾン処理をしたときに端部部材素材の変色を抑制することができる。
【００５４】
ここで、オゾンの発生方法は特に限定されることはないが、オゾン発生時に窒素酸化物が生成しない方法である方法が好ましい。これにより端部部材へのオゾン処理工程後の端部部材素材の変色を抑制することができる。例えば無声放電によるオゾン発生ではオゾンとともに無水硝酸（Ｎ２Ｏ５）が発生し、無水硝酸が水蒸気を吸湿して硝酸（ＨＮＯ３）となる。これにより端部部材にオゾン処理をすると硝酸が光により分解し（４ＨＮＯ３＋光→４ＮＯ２＋２Ｈ２Ｏ＋Ｏ２）、端部部材素材を変色（黄変）させると考えられる。
【００５５】
オゾン処理工程は、上記オゾンの発生工程で発生させたオゾンを用いて端部部材素材の少なくとも嵌合部の表面に対してオゾン処理をする工程である。オゾン処理工程として、オゾン暴露による方法、及びオゾン水への浸漬による方法を挙げることができる。
オゾン暴露による方法とは、気相法と呼ばれることもあり、オゾンが含まれた気体雰囲気中に端部部材素材を晒す（暴露）することにより処理をする方法である。これは例えばオゾンが含まれた空気雰囲気のチャンバー内に端部部材素材を晒すことによりおこなうことができる。オゾンの生成が無声放電や紫外線照射による場合には当該チャンバー内に端部部材素材を配置した状態で無声放電や紫外線照射をすればオゾン発生工程とオゾン処理工程とを同時に行うことができる。
オゾン水への浸漬による方法とは、液相法と呼ばれることもあり、所定のオゾン濃度を有する水であるオゾン水が貯留された槽に端部部材素材を浸漬することにより行われる。オゾン水の製造は上記オゾン発生工程により発生させたオゾンを用いて公知の方法で行うことができる。
【００５６】
オゾン処理工程では、いずれの方法を適用する場合であってもオゾン濃度が高く、処理温度が高温であり、処理時間が長い方が接着性改良効果は高い。ただし、その程度によっては端部部材素材を構成する樹脂の表面の劣化に伴う樹脂性能の低下の方が顕著になることもあるので、用いられた樹脂の種類等により適切な条件が設定されるべきである。
例えば、数分から数十分という短い時間で効率よく処理することを考えた場合、十分な接着力を得るには、オゾンの濃度は１ｐｐｍ以上が好ましく、より好ましくは１０ｐｐｍ以上である。また、その際の処理温度は２０℃〜２５℃の常温でも可能であるが、３０℃以上が好ましく、より好ましくは４０℃以上である。
【００５７】
また、上記したようにオゾン処理工程では端部部材素材の変色を抑制する観点からは窒素酸化物を実質的に含まないことが好ましい。ただし、意図しない窒素酸化物が不可避的に混入されている程度は許容することができる。
【００５８】
このような処理によりオゾンの作用で端部部材素材のオゾン処理がされた表面部分における材料の分子鎖が切断され、−ＯＨ、−ＣＯＯＨ等が生成されるので端部部材の表面が活性化される。これにより接着剤による接着性が向上する。
【００５９】
オゾン処理工程では、端部部材素材の全部を処理してもよいし、嵌合部のみ等、一部のみを処理してもよい。端部部材の一部のみを処理する方法としては、気相法ではチャンバー内に処理部位のみを露出させる方法を挙げることができる。一方、液相法では気相法と同様にオゾン水層中に処理部位を浸漬させる方法や、液面を処理部位までとする方法を挙げることができる。
【００６０】
水洗い工程Ｓ１５は、酸化処理工程Ｓ１４で酸化処理されて端部部材となった後に水洗いを行う工程である。水洗い工程Ｓ１５は上記の目的を達成することができればその態様は限定されることはないが、例えば純水が貯留された槽に端部部材を浸漬することが挙げられる。
【００６１】
乾燥工程Ｓ１６は、端部部材を乾燥する工程であり、乾燥機に端部部材を入れること等により行うことができる。乾燥方法は特に限定されることはないが、熱風乾燥による加熱と真空乾燥とを繰り返す方法が好ましい。熱風乾燥方式は窪みがある部分等に存在する水分を蒸発させることに時間がかかるが、真空乾燥により当該部分の乾燥を促進することができる。一方、真空乾燥のみによると水分の蒸発に伴い蒸発潜熱が奪われて端部部材の温度が低下して乾燥に時間がかかるが、これは熱風乾燥により時間の短縮ができる。すなわち、熱風乾燥による加熱と真空乾燥とを繰り返すことにより両者の欠点を補いつつ効率のよい乾燥をすることが可能となる。
【００６２】
一方、このように製造された端部部材１２、１７を用いて感光体ドラムユニット１０を次のように作製することができる。
すなわち、感光体ドラム１１の内表面端部のうち、端部部材１２、１７の嵌合部１６、１７ｂが挿入される部位に接着剤を塗布する。ここで、用いられる接着剤はシアノアクリレート系、ポリウレタン系、アクリル樹脂系を用いることが好ましい。その中でも特に、周囲の水分によって急速に硬化するため硬化速度の速いシアノアクリレート系接着剤が好ましい。
【００６３】
そして、上記製造しておいた端部部材１２、１７の嵌合部１６、１７ｂを感光体ドラム１１のそれぞれの端部から内側に挿入する。このとき、端部部材１２は接触壁部１５、端部部材１７は軸受部１７ａが感光体ドラム１１のそれぞれの端面に接触するまで挿入する。
【００６４】
本形態では上記したように嵌合部１６、１７ｂの外表面における酸素濃度が高められており、表面が活性化されているので、高い接着性で端部部材１２、１７と感光体ドラム１１との接着が可能となる。従って、嵌合部に溝や粗面を設ける必要もなく十分な接着性を得ることができる。また、溝や粗面を有していないリユースの端部部材も上記処理をするだけで接着性を向上させることができる。
また、本形態では付着物除去工程において洗浄力が向上されていることから、端部部材素材の表面の清浄性が高く、酸化処理がムラ等なく適切に行われている。従って上記利点をさらに顕著なものとすることができる。
【００６５】
図１に戻って、画像形成装置の構造について説明をする。画像形成装置には、上記のように感光体ドラムユニット１０の他、帯電ローラ１、現像ローラ２、規制部材３、転写手段４、及びクリーニングブレード５があり、それぞれは次のようなものである。
【００６６】
帯電ローラ１は、画像形成装置からの電圧印加により感光体ドラム１１を帯電させる。これは、当該帯電ローラ１が感光体ドラム１１に追随して回転し、感光体ドラム１１の外周面に接触することにより行われる。
現像ローラ２は、感光体ドラム１１に現像剤を供給するローラである。そして、当該現像ローラ２により、感光体ドラム１１に形成された静電潜像が現像される。なお現像ローラ２には、固定磁石が内蔵されている。
規制部材３は、上記した現像ローラ２の外周面に付着する現像剤の量を調整するとともに、現像剤自体に摩擦帯電電荷を付与する部材である。
転写手段４は、感光体ドラム１１に形成された像を紙等の記録媒体に転写するためのローラである。
クリーニングブレード５は、感光体ドラム１１の外周面に接触してその先端により転写後に残存した現像剤を除去するブレードである。
【００６７】
ここでは、画像形成装置に備えられる主要なローラ及びブレードについて説明したが、ここに具備される部材はこれに限定されるものではなく、その他画像形成装置に通常に備えられる部材、部位、及び現像剤等が具備されていることが好ましい。
【００６８】
次に画像形成装置の動作について説明する。画像形成装置を作動させる際には、上記した感光体ドラムユニット１０の軸１３ａを画像形成装置に設けられた回転軸に連結し、必要に応じて回転させる。上記した帯電ローラ１、現像ローラ２、転写手段４等は端部部材１２の歯車部１５から回転力を直接、又は間接的に受けて回転するように構成されている。これにより感光体ドラムユニット１０が回転し、感光体ドラム１１が帯電ローラ１により帯電される。
【００６９】
感光体ドラムユニット１０が回転している状態で、不図示の各種光学部材を用いて画像情報に対応したレーザー光を感光体ドラム１１に照射し、当該画像情報に基づいた静電潜像を得る。この潜像は現像ローラ２により現像される。
【００７０】
一方、紙等の記録媒体は、画像形成装置の他の部位にセットされ、該画像形成装置に設けられた送り出しローラ、搬送ローラ等により転写位置に搬送され、図１の線Ｉに沿って移動する。転写位置には転写手段４が配置されており、記録媒体の通過に伴い転写手段４に電圧が印加されて感光体ドラム１１から記録媒体に像が転写される。その後、記録媒体に熱及び圧力が加えられることにより当該像が記録媒体に定着する。そして排出ロール等により画像形成装置本体から像が形成された記録媒体が排出される。
また、感光体ドラム１１では、次の画像に備え、クリーニングブレード５が感光体ドラム１１の外周面に接触してその先端により転写後に残存した現像剤を除去する。クリーニングブレード５により掻き取られた現像剤は公知のように排出される。
【００７１】
画像形成装置の作動からも、感光体ドラム１１が回転及び停止の繰り返しにより負荷が大きく、及び帯電や加熱等もあるという厳しい条件に置かれていることがわかる。本発明によれば、上記したように、端部部材の嵌合部に溝等や粗面を設けることなく感光体ドラムと端部部材との接着性を向上させることができ、画像形成装置の信頼性も高めることが可能である。
【符号の説明】
【００７２】
１０  感光体ドラムユニット
１１  感光体ドラム
１２  端部部材
１３  筒状体
１４  歯車部
１５  接触壁
１６  嵌合部
１７  端部部材
【図１】
2014186232.tif 000003
【図２】
2014186232.tif 000004
【図３】
2014186232.tif 000005
【図４】
2014186232.tif 000006